(57)【要約】【課題】排水管の封水切れを防止するために、湯を沸かし上げる必要がなく、消費電力を低減できる貯湯式温水器を提供すること。【解決手段】湯を貯湯する貯湯タンク６１と、貯湯タンク６１内に設けられ、貯湯タンク６１内の湯水を加熱するヒーター７１と、ヒーター７１による加熱で発生する膨張水を排水管４１に排出する膨張水排出管８３と、貯湯タンク６１内の湯と、水とを混合して排水管４１に排出する混合部６９と、混合部６９の流出側に設けられ、開閉可能な電磁弁７０と、ヒーター７１への通電を制御するヒーター制御を実行するとともに、電磁弁７０の開閉制御を実行する制御部１０と、を備え、制御部１０は、所定時間が経過するまでの間、ヒーター制御を実行せず且つ電磁弁７０を開弁しなかった場合には、電磁弁７０を所定時間開くことで、混合部６９を介して貯湯タンク６１内の水を排水管４１に排出する貯湯式温水器１１である。【選択図】図３
2015105794.tif 000002
【特許請求の範囲】
【請求項１】
湯を貯湯する貯湯タンクと、
前記貯湯タンク内に設けられ、前記貯湯タンク内の湯水を加熱するヒーターと、
前記ヒーターによる加熱で発生する膨張水を排水管に排出する排水路と、
前記貯湯タンク内の湯と、水とを混合して排水管に排出する混合部と、
前記混合部の流出側に設けられ、開閉可能な開閉弁と、
前記ヒーターへの通電を制御するヒーター制御を実行するとともに、前記開閉弁の開閉制御を実行する制御部と、を備え、
前記制御部は、所定時間が経過するまでの間、前記ヒーター制御を実行せず且つ前記開閉弁を開弁しなかった場合には、前記開閉弁を所定時間開くことで、前記混合部を介して前記貯湯タンク内の水を前記排水管に排出する貯湯式温水器。
【請求項２】
前記制御部は、所定時間内における前記貯湯タンク内の湯の使用量が、前記貯湯タンクの容量未満の場合には、前記開閉弁を開くことで、前記混合部を介して前記貯湯タンク内の所定量の湯を前記排水管に排出する請求項１に記載の貯湯式温水器。
【請求項３】
前記制御部は、前記貯湯タンクの容量に相当する量の湯を前記排水管に排出する請求項２に記載の貯湯式温水器。
【請求項４】
前記制御部は、前記貯湯タンクの容量と前記使用量との差分に相当する量の湯を前記排水管に排出する請求項２に記載の貯湯式温水器。
【発明の詳細な説明】
【技術分野】
【０００１】
本発明は、貯湯式温水器に関する。
【背景技術】
【０００２】
従来、ヒーターで加熱した湯を貯湯タンク内に貯湯し、この貯湯タンク内から湯を出湯する貯湯式温水器が知られている。この貯湯式温水器では、ヒーターによる加熱で発生する膨張水を排水管に排出することで、排水管の封水切れを防止している。
【０００３】
例えば、貯湯タンクのヒーターを所定期間ＯＦＦにして湯を沸し上げしない場合には、自動的にヒーターをＯＮにして湯を沸し上げ、発生した膨張水を排水管に排出することで、封水切れを防止する貯湯式温水器が提案されている（例えば、特許文献１参照）。
【０００４】
また、貯湯タンクのヒーターをＯＮにして湯を沸し上げした場合に、電磁弁を開いて、貯湯タンク内に発生したエアーを湯とともに自動的に排水管に排出する貯湯式温水器が提案されている（例えば、特許文献２参照）。
【先行技術文献】
【特許文献】
【０００５】
【特許文献１】特開２０１１−２２０６００号公報
【特許文献２】特開平９−４２７６８号公報
【発明の概要】
【発明が解決しようとする課題】
【０００６】
しかしながら、上記特許文献１及び２の貯湯式温水器では、排水管の封水切れ防止のために、湯を必要としない夏場等でも、湯を沸し上げる必要があり、無駄な電力を消費することとなる。
【０００７】
本発明は上記に鑑みてなされたものであり、その目的は、排水管の封水切れを防止するために、湯を沸かし上げる必要がなく、消費電力を低減できる貯湯式温水器を提供することにある。
【課題を解決するための手段】
【０００８】
（１）上記目的を達成するため本発明は、湯を貯湯する貯湯タンク（例えば、後述の貯湯タンク６１）と、前記貯湯タンク内に設けられ、前記貯湯タンク内の湯水を加熱するヒーター（例えば、後述のヒーター７１）と、前記ヒーターによる加熱で発生する膨張水を排水管（例えば、後述の排水管４１）に排出する排水路（例えば、後述の膨張水排出管８３）と、前記貯湯タンク内の湯と、水とを混合して排水管に排出する混合部（例えば、後述の混合部６９）と、前記混合部の流出側に設けられ、開閉可能な開閉弁（例えば、後述の電磁弁７０）と、前記ヒーターへの通電を制御するヒーター制御を実行するとともに、前記開閉弁の開閉制御を実行する制御部（例えば、後述の制御部１０）と、を備え、前記制御部は、所定時間が経過するまでの間、前記ヒーター制御を実行せず且つ前記開閉弁を開弁しなかった場合には、前記開閉弁を所定時間開くことで、前記混合部を介して前記貯湯タンク内の水を前記排水管に排出する貯湯式温水器（例えば、後述の貯湯式温水器１１）を提供する。
【０００９】
（１）の発明では、所定時間が経過するまでの間、ヒーターへの通電制御、即ちヒーターによる沸かし上げ又は保温を行うヒーター制御を実行せず且つ開閉弁を開弁しなかった場合には、混合部の流出側に設けた開閉弁を所定時間開くことで、混合部を介して貯湯タンク内の水を排水管に排出する。
これにより、ヒーターによる沸かし上げ又は保温が行われず、膨張水が発生しない状態と、開閉弁が閉じたままで貯湯タンク内の湯の排出が行われない状態とが所定時間継続した場合には、混合部の流出側に設けた開閉弁が所定時間開かれることで、混合部を介して貯湯タンク内の水が排水管に排出される。従って、本発明によれば、排水管の封水切れ（例えば、後述の排水管４１に設けられた排水器具３５の封水部の封水切れ）を防止するために湯を沸かし上げる必要がなく、消費電力を低減できる。
【００１０】
（２）前記制御部は、所定時間内における前記貯湯タンク内の湯の使用量（例えば、後述の使用量Σ（ｎ＝１〜２３）Ｑｎ）が、前記貯湯タンクの容量（例えば、後述の貯湯タンク容量Ｔｃ）未満の場合には、前記開閉弁を開くことで、前記混合部を介して前記貯湯タンク内の所定量の湯を前記排水管に排出することが好ましい。
【００１１】
（２）の発明では、所定時間内における貯湯タンク内の湯の使用量が貯湯タンクの容量未満の場合には、開閉弁を開くことで混合部を介して貯湯タンク内の所定量の湯を排水管に排出する。
これにより、貯湯タンク内に長時間滞留した湯を排出することができ、貯湯タンク内を衛生的に保つことができる。また、貯湯タンク内に滞留した湯の排出は排水管の封水切れに寄与するため、排水を有効利用でき、節水ができる。
【００１２】
（３）前記制御部は、前記貯湯タンクの容量に相当する量の湯を前記排水管に排出することが好ましい。
【００１３】
（３）の発明では、所定時間内における貯湯タンク内の湯の使用量が貯湯タンクの容量未満の場合には、開閉弁を開いて、貯湯タンクの容量に相当する量の湯を排水管に排出する。
これにより、貯湯タンク内の湯を全量排出することで、貯湯タンク内に滞留した湯を確実に排出することができ、貯湯タンク内を確実に衛生的に保つことができる。
【００１４】
（４）前記制御部は、前記貯湯タンクの容量と前記使用量との差分に相当する量の湯を前記排水管に排出することが好ましい。
【００１５】
（４）の発明では、所定時間内における貯湯タンク内の湯の使用量が貯湯タンクの容量未満の場合には、開閉弁を開いて、貯湯タンク内の未使用分の湯を排水管に排出する。
これにより、貯湯タンク内の未使用分の湯のみを排出することで、貯湯タンク内に滞留した湯を確実に排出することができ、貯湯タンク内を確実に衛生的に保つことができる。さらには、未使用分のみを排出するため、節水ができる。
【発明の効果】
【００１６】
本発明によれば、排水管の封水切れを防止するために、湯を沸かし上げる必要がなく、消費電力を低減できる貯湯式温水器を提供できる。
【図面の簡単な説明】
【００１７】
【図１】本発明の一実施形態に係る貯湯式温水器の外観を示す斜視図である。
【図２】上記実施形態に係る貯湯式温水器の内部構成を示す図である。
【図３】上記実施形態に係る貯湯式温水器における封水切れ運転制御のフローチャートである。
【図４】上記実施形態に係る貯湯式温水器における全量入替制御のフローチャートである。
【図５】上記実施形態に係る貯湯式温水器における入替量調整制御のフローチャートである。
【発明を実施するための形態】
【００１８】
以下、本発明の実施形態について、図面を参照しながら詳細に説明をする。
【００１９】
図１は、本発明の第１実施形態に係る貯湯式温水器１１の外観を示す斜視図であり、本貯湯式温水器１１をシンク１２に適用した例を示す。なお、図１において、シンク１２は透視図で表している。
貯湯式温水器１１は、ケーシング３１内に後述するヒーター付の貯湯タンク（図示せず）を備える。図１に示すように、貯湯式温水器１１は、シンク１２の内部に配置されており、シンク１２の内壁に配設された電源コンセント５１に電源ケーブル５２を接続し、ケーシング３１の前面に設けられた電源スイッチ５３をＯＮすることで作動する。
【００２０】
図１に示すように、貯湯式温水器１１の周辺には、熱湯用単水栓３２と、混合水栓３３と、止水栓３４と、排水器具３５と、熱湯管３６と、出湯管３７と、同圧給水管３８と、給水管３９と、排水ホース４０と、が設けられている。
【００２１】
熱湯用単水栓３２と混合水栓３３は、シンク１２のシンク本体１３の近傍に配設されている。止水栓３４は、シンク１２の内壁に配設されている。排水器具３５は、シンク本体１３の排水口４１ａから下方に延びた排水管４１の途中に接続されている。
【００２２】
熱湯管３６は、一端が熱湯用単水栓３２に接続され、他端が貯湯式温水器１１のケーシング３１の上面に接続されている。出湯管３７は、一端が混合水栓３３に接続され、他端が貯湯式温水器１１のケーシング３１の上面に接続されている。同圧給水管３８は、一端が混合水栓３３に接続され、他端が貯湯式温水器１１のケーシング３１の上面に接続されている。給水管３９は、一端が止水栓３４に接続され、他端が貯湯式温水器１１のケーシング３１の上面に接続されている。排水ホース４０は、一端が排水器具３５に接続され、他端が貯湯式温水器１１のケーシング３１の上面に接続されている。
【００２３】
次に、本実施形態に係る貯湯式温水器１１の内部構成について説明する。図２は、本実施形態に係る貯湯式温水器１１の内部構成を示す図である。
図２に示すように、貯湯式温水器１１は、ケーシング３１内に、貯湯タンク６１と、給湯用混合弁６２と、逆止弁６３，６５，６７，６８と、ストレーナ６４と、減圧弁６６と、混合部６９と、電磁弁７０と、逃し弁７２と、サーミスタ７３，７５，７７と、水抜き弁７４と、フローセンサ７６と、制御部１０と、を備える。
【００２４】
給水管３９から供給される水は、ストレーナ６４で水中のゴミが除去され、逆止弁６５を流通し、減圧弁６６で減圧された後、給水管３９を流通して貯湯タンク６１内に供給される。このとき、サーミスタ７５は給水の温度を検出し、フローセンサ７６は給水の流量を検出する。
【００２５】
貯湯タンク６１は、内部にヒーター７１を備える。水が供給された貯湯タンク６１では、このヒーター７１に通電することによって、６０〜９０℃の湯が沸かされる。また、貯湯タンク６１は、内部にサーミスタ７７を備える。貯湯タンク６１内の湯の温度は、このサーミスタ７７により検出され、その検出信号は後述の制御部１０に送信される。
なお、貯湯タンク６１で沸かされた熱湯は、熱湯管３６を流通して熱湯用単水栓３２（図１参照）に供給され、熱湯用単水栓３２から流出することで、飲用熱湯として利用される。
【００２６】
また、熱湯管３６の分岐部３６ａで分岐した熱湯分岐管８１には、逆止弁６３と給湯用混合弁６２が設けられている。従って、貯湯タンク６１で沸かされた熱湯の一部が、熱湯管３６から熱湯分岐管８１へ分流し、逆止弁６３を流通した後、給湯用混合弁６２に供給される。
一方、給水管３９の分岐部３９ａで分岐した給水分岐管８２には、給水管３９から給水の一部が分流する。給水分岐管８２に分流した給水は、給湯用混合弁６２に供給される。これにより、給湯用混合弁６２では、熱湯分岐管８１を流通して供給された熱湯と、給水分岐管８２を流通して供給された水とが混合されることで、給湯用混合弁６２の設定温度（例えば４０℃）の湯となる。
【００２７】
給湯用混合弁６２において熱湯と水が混合されて生成された湯は、出湯管３７を流通して混合水栓３３（図１参照）に供給され、混合水栓３３から流出することで、食器の洗浄等を行うための雑用給湯として利用される。
【００２８】
給水管３９の分岐部３９ｂで分岐した同圧給水管３８には、給水管３９から給水の一部が分流する。この同圧給水は、同圧給水管３８を流通して混合水栓３３（図１参照）に供給され、混合水栓３３から流出することで、使用に供される。
【００２９】
なお、貯湯タンク６１内で湯を沸かす際には、貯湯タンク６１内部の圧力上昇により膨張水が発生する。内圧が所定圧力を超えると逃し弁７２が開弁し、発生した膨張水は膨張水排出管８３及び排水ホース４０（図１参照）を介して、排水器具３５内の封水部に供給され、封水部内の封水となる。
【００３０】
なお、水抜き弁７４は、貯湯タンク６１の下部と給水管３９との接続部近傍に設けられている。水抜き弁７４は、メンテナンスや凍結防止目的で設けられた図示しない給気栓を操作した後に開弁する。これにより、給水管３９内の水が外部に排出される。
【００３１】
また、本実施形態の貯湯式温水器１１では、熱湯管３６の分岐部３６ｂで熱湯分岐管９１が分岐しており、この熱湯分岐管９１には熱湯管３６から熱湯の一部が分流する。また、給水管３９の分岐部３９ｃでは給水分岐管９２が分岐しており、この給水分岐管９２には、給水管３９から一部の給水が分流する。熱湯分岐管９１と給水分岐管９２は、混合部６９で合流している。
【００３２】
混合部６９は、熱湯分岐管９１と給水分岐管９２との流路合流部となっている。従って、混合部６９では、熱湯分岐管９１を流通してきた熱湯と、給水分岐管９２を流通してきた水とが混合する。この混合水は、混合部６９の流出側に設けられた電磁弁７０を介して、排水ホース４０に排出される。即ち、本実施形態の貯湯式温水器１１は、給湯用混合弁６２を介さずに、貯湯タンク６１の湯と、水とを混合して排水ホース４０に排出する混合部６９を備えている。
【００３３】
なお、混合部６９における湯と水の混合比は、混合水の温度が例えば５０℃となるように、予め混合部６９における湯と水の流路の径を調整して定めた一定の比率であり、例えば湯と水の比率を４：６とする。また、混合水の逆流を防止するため、混合部６９の水流入側（給水分岐管９２側）と湯流入側（熱湯分岐管９１側）には、それぞれ逆止弁６７，６８が設けられている。
【００３４】
サーミスタ７３は、電磁弁７０の下流側に設けられている。サーミスタ７３は、異常温度検出用であり、逆止弁６７，６８が固着したとき等に生じる排水温の異常高温を検出する。サーミスタ７３により異常高温が検出されると、電磁弁７０が閉弁されることで、安全性が確保されるようになっている。
【００３５】
制御部１０は、ヒーター７１、電磁弁７０、フローセンサ７６、サーミスタ７３，７５，７７等と電気的に接続されている。
制御部１０は、後段で詳述する封水切れ運転制御、全量入替制御及び入替量調整制御を実行するためのモジュールとして、ヒーター７１への通電を制御するヒーター制御部、電磁弁７０の開閉制御を実行する電磁弁制御部、ヒーター制御が行われず且つ電磁弁７０が閉じた状態の時間を計測してカウントダウンする計測部、貯湯タンク６１内の湯の入替量を積算する入替量積算部等を備える。
なお、運転条件の各種設定等は、オペレーターが操作部５４を操作することにより行われ、制御部１０にて記憶される。
【００３６】
以上の構成を備える本実施形態の貯湯式温水器１１の基本的な動作について、図２を参照して説明する。
まず、給水管３９からストレーナ６４及び減圧弁６６等を介して貯湯タンク６１に水が供給されると、この供給水が貯湯タンク６１に設けられたヒーター７１で沸かし上げられる。この沸かし上げられた熱湯（例えば６０〜９０℃）は、熱湯管３６を介して飲用熱湯として供給される。
また、熱湯の一部は熱湯分岐管８１で分流し、給水分岐管８２で分流した水と給湯用混合弁６２で混合することにより、例えば４０℃の雑用給湯として供給される。この雑用給湯は同圧給水とともに混合水栓３３（図１参照）に供給されて混合水栓３３から流出する。
【００３７】
また、貯湯タンク６１内で湯を沸かすことによって発生した膨張水は、逃し弁７２が開弁することで膨張水排出管８３等を介して排出されることにより、排水器具３５（図１参照）の封水部内の封水となる。
また、沸かし上げられた熱湯の一部は、貯湯タンク６１内で貯留される。貯湯タンク６１内で長時間滞留した湯を入れ替えするために排出する際には、給湯用混合弁６２は介さずに、熱湯分岐管９１で分流した湯と、給水分岐管９２で分流した水を混合部６９で混合して例えば５０℃の混合水とし、電磁弁７０を開いて排出する。
【００３８】
次に、本実施形態の貯湯式温水器１１の制御部１０で実行する封水切れ運転制御について説明する。図３は、本実施形態に係る貯湯式温水器１１における封水切れ運転制御のフローチャートである。この封水切れ運転制御の処理は、所定の周期で繰り返し実行される。
【００３９】
まず、ステップＳ１１では、ヒーター制御がＯＦＦの状態であるか否かを判定する。具体的には、ヒーター７１への通電制御が行われているか否か、ヒーター７１による湯の沸かし上げ又は保温が行われているか否かを判定する。ここで、ヒーター７１による保温とは、サーミスタ７７の検出信号に基づいて、貯湯タンク６１内の湯の温度が、予め設定された所定の目標温度となるようにヒーター７１をＯＮ／ＯＦＦフィードバック制御することを意味する。
【００４０】
この判定結果がＮＯであれば、ヒーター７１が通電されて膨張水が発生し、排水管４１の排水器具３５における封水部に封水が供給されたと判断される。従ってこの場合には、ステップＳ１６に進んで７日間カウントをリセットした後、ステップＳ１１に戻る。一方、この判定結果がＹＥＳであれば、ステップＳ１２に進む。
【００４１】
ステップＳ１２では、電磁弁７０が開弁中であるか否かを判定する。電磁弁７０が開弁中であるか否かは、電磁弁７０の通電状態に基づいて判定する。このとき、電磁弁７０は手動操作により開閉してもよい。
この判定結果がＹＥＳであれば、衛生上の観点から貯湯タンク６１内に長時間滞留していた湯が混合部６９を介して排水管４１に排出され、排水管４１の排水器具３５における封水部に封水が供給されたと判断される。従ってこの場合には、ステップＳ１６に進んで７日間カウントをリセットした後、ステップＳ１１に戻る。一方、この判定結果がＮＯであれば、ステップＳ１３に進む。
【００４２】
ステップＳ１３では、排水管４１の排水器具３５における封水部に封水が供給されていないと判断されるため、７日間カウントを１ディクリメントし、ステップＳ１４へ進む。
ここで、７日間カウントとは、排水管４１の排水器具３５における封水部に封水が全く供給されなかったとした場合、７日間で封水切れとなることを意味する。この７日間は、封水部の容量や季節に応じて変更される。また、この７日間カウントの値は、本制御周期に応じて設定される。
【００４３】
ステップＳ１４では、７日間カウントが０であるか否かを判定する。この判定結果がＮＯであれば、まだ排水管４１の排水器具３５における封水部の封水は足りていると判断されるため、ステップＳ１１に戻る。一方、この判定結果がＹＥＳであれば、ステップＳ１５に進んで電磁弁７０を通電し、電磁弁７０を３秒間だけ開弁する。その結果、混合部６９を介して貯湯タンク６１内の水の一部（約１００ｍＬ）が排水管４１に排出されることで、排水管４１の排水器具３５における封水部を満たすのに十分な量の封水が供給される。その後、ステップＳ１６に進んで７日間カウントをリセットする。
【００４４】
次に、本実施形態の貯湯式温水器１１の制御部１０で実行する、貯湯タンク６１内の湯を全量入れ替えする全量入替制御について説明する。図４は、本実施形態に係る貯湯式温水器１１における全量入替制御の手順を示すフローチャートである。この全量入替制御の処理は、所定の周期で繰り返し実行され、上述の封水切れ運転制御とは独立して実行される。
【００４５】
ステップＳ２１では、入替開始時間であるか否かを判別する。ここで、入替開始時間は、例えば、貯湯式温水器１１の通常使用開始時間より前の所定時間に予め設定される。この判定結果がＮＯであれば、再びステップＳ２１に戻る。一方、この判定結果がＹＥＳであれば、ステップＳ２２に進む。
【００４６】
ステップＳ２２では、２３時間前から１時間前までの貯湯タンク６１内の湯の使用量Σ（ｎ＝１〜２３）Ｑｎが、貯湯タンク容量Ｔｃより小さいか否かを判定する。この判定結果がＮＯであれば、貯湯タンク６１内に滞留している湯は無いと判断されるため、ステップＳ２１に戻る。一方、この判定結果がＹＥＳであれば、貯湯タンク６１内に滞留している湯があると判断されるため、ステップＳ２３に進む。
【００４７】
ステップＳ２３では、貯湯タンク６１の湯の入替量の積算を開始し、ステップＳ２４に進んで、電磁弁７０を開弁する。これにより、貯湯タンク６１内の湯の排出を開始して、貯湯タンク６１内の湯の入替を開始する。
なお、貯湯タンク６１の湯の入替量の積算は、フローセンサ７６の検出信号に基づいて、制御部１０で実行される。
【００４８】
ステップＳ２５では、入替量を積算して得られた積算入替量が、貯湯タンク容量Ｔｃを超えているか否かを判定する。この判定結果がＮＯであれば、再びステップＳ２５に戻る。即ち、積算入替量が貯湯タンク容量Ｔｃを超えるまで、ステップ２５の処理を繰り返す。そして、ステップＳ２５の判定結果がＹＥＳであれば、積算入替量が貯湯タンク容量Ｔｃを超えたため、ステップＳ２６に進む。
【００４９】
ステップＳ２６では、入替量の積算を終了し、ステップＳ２７に進んで、電磁弁７０を閉弁する。これにより、貯湯タンク６１内の湯の全量入替が完了する。
【００５０】
次に、本実施形態の貯湯式温水器１１の制御部１０で実行する、貯湯タンク６１内の湯の入替量調整制御について説明する。図５は、本実施形態に係る貯湯式温水器１１における入替量調整制御の手順を示すフローチャートである。この入替量調整制御の処理は、所定の周期で繰り返し実行され、上述の封水切れ運転制御とは独立して実行される。また、上述の全量入替制御と選択的に実行される。
なお、この入替量調整制御は、貯湯タンク６１内の湯のうち、飲用熱湯や雑用給湯として使用されなかった分だけを入れ替える制御である。
【００５１】
ステップＳ３１〜３４の処理は、上述の全量入替制御におけるステップＳ２１〜２４と同一の処理であるため、説明を省略する。
【００５２】
ステップＳ３５では、入替量を積算して得られた積算入替量が、貯湯タンク容量Ｔｃと、２３時間前から１時間前までの貯湯タンク６１内の湯の使用量Σ（ｎ＝１〜２３）Ｑｎとの差分（Ｔｃ−Σ（ｎ＝１〜２３）Ｑｎ）を超えているか否かを判定する。この判定結果がＮＯであれば、再びステップＳ３５に戻る。即ち、積算入替量が、上記差分、即ち貯湯タンク６１内の湯の未使用分を超えるまで、ステップ３５の処理を繰り返す。そして、ステップＳ３５の判定結果がＹＥＳであれば、積算入替量が上記差分、即ち貯湯タンク６１内の湯の未使用分を超えたため、ステップＳ３６に進む。
【００５３】
ステップＳ３６では、入替量の積算を終了し、ステップＳ３７に進んで、電磁弁７０を閉弁する。これにより、貯湯タンク６１内の湯の未使用分の入替が完了する。
【００５４】
本実施形態によれば、以下の効果が奏される。
本実施形態では、所定時間が経過するまでの間、ヒーター７１への通電制御、即ちヒーター７１による沸かし上げ又は保温を行うヒーター制御を実行せず且つ混合部６９の流出側に設けた電磁弁７０を開弁しなかった場合には、電磁弁７０を所定時間開くことで、混合部６９を介して貯湯タンク６１内の水を排水管４１に排出する構成とした。
これにより、ヒーター７１による沸かし上げ又は保温が行われず、膨張水が発生しない状態と、電磁弁７０が閉じたままで貯湯タンク６１内の湯の排出が行われない状態とが所定時間継続した場合には、混合部６９の流出側に設けた電磁弁７０が所定時間開かれることで、混合部６９を介して貯湯タンク６１内の水が排水管４１に排出される。従って、本実施形態によれば、排水管４１に設けられた排水器具３５の封水部の封水切れを防止するために湯を沸かし上げる必要がなく、消費電力を低減できる。
また、本実施形態によれば、ヒーター制御が行われず且つ電磁弁７０が閉じた状態が所定時間継続した場合には、混合部６９を介して貯湯タンク６１内の湯が排水管４１に排出されるため、貯湯タンク６１内の湯が長時間滞留することを抑制でき、貯湯タンク６１内を衛生的に保つことができる。また、貯湯タンク６１内に滞留した湯の排出は排水管４１の封水切れに寄与するため、排水を有効利用でき、節水ができる。
【００５５】
また本実施形態では、所定時間内における貯湯タンク６１内の湯の使用量が貯湯タンク６１の容量未満の場合には、電磁弁７０を開くことで混合部６９を介して貯湯タンク６１内の所定量の湯を排水管に排出する構成とした。
これにより、貯湯タンク６１内に長時間滞留した湯を排出することができ、貯湯タンク６１内を衛生的に保つことができる。また、貯湯タンク６１内に滞留した湯の排出は排水管４１の封水切れに寄与するため、排水を有効利用でき、節水ができる。
【００５６】
また本実施形態では、所定時間内における貯湯タンク６１内の湯の使用量が貯湯タンク６１の容量未満の場合には、電磁弁７０を開いて、貯湯タンク６１の容量に相当する量の湯を排水管に排出する構成としてもよい。
これにより、貯湯タンク６１内の湯を全量排出することで、貯湯タンク６１内に滞留した湯を確実に排出することができ、貯湯タンク６１内を確実に衛生的に保つことができる。
【００５７】
また本実施形態では、所定時間内における貯湯タンク６１内の湯の使用量が貯湯タンク６１の容量未満の場合には、電磁弁７０を開いて、貯湯タンク６１内の未使用分の湯を排水管４１に排出する構成としてもよい。
これにより、貯湯タンク６１内の未使用分の湯のみを排出することで、貯湯タンク６１内に滞留した湯を確実に排出することができ、貯湯タンク６１内を確実に衛生的に保つことができる。さらには、未使用分のみを排出するため、節水ができる。
【００５８】
なお、本発明は上記実施形態に限定されるものではなく、本発明の目的を達成できる範囲での変形、改良等は本発明に含まれる。
【符号の説明】
【００５９】
１０…制御部
１１…貯湯式温水器
４１…排水管
６１…貯湯タンク
６９…混合部
７０…電磁弁（開閉弁）
７１…ヒーター
８３…膨張水排出管（排水路）
【図１】
2015105794.tif 000003
【図２】
2015105794.tif 000004
【図３】
2015105794.tif 000005
【図４】
2015105794.tif 000006
【図５】
2015105794.tif 000007